(57)【要約】  ユーザ端末は、複数の送信ポイントにそれぞれ対応する複数のチャネル状態情報（ＣＳＩ）報告に関する設定情報を受信し、前記複数のＣＳＩ報告に関する少なくとも１つの指示を受信する受信部と、前記少なくとも１つの指示に基づいて、前記複数のＣＳＩ報告を行う制御部と、を有する。本開示の一態様によれば、複数の送信ポイントに対するＣＳＩ報告を適切に行うことができる。
2020148839.tif 000002
【特許請求の範囲】
【請求項１】
複数の送信ポイントにそれぞれ対応する複数のチャネル状態情報（ＣＳＩ）報告に関する設定情報を受信し、前記複数のＣＳＩ報告に関する少なくとも１つの指示を受信する受信部と、
前記少なくとも１つの指示に基づいて、前記複数のＣＳＩ報告を行う制御部と、を有することを特徴とするユーザ端末。
【請求項２】
前記受信部は、前記複数の送信ポイントから、前記複数の指示をそれぞれ受信し、
前記制御部は、前記複数の指示のそれぞれに基づいて、対応するＣＳＩ報告を行うことを特徴とする請求項１に記載のユーザ端末。
【請求項３】
前記受信部は、前記複数の送信ポイントの１つから、前記複数のＣＳＩ報告に関する１つの指示を受信し、
前記制御部は、前記１つの指示に基づいて、前記複数のＣＳＩ報告を行うことを特徴とする請求項１に記載のユーザ端末。
【請求項４】
前記制御部は、第１送信ポイントに対応するＣＳＩ報告に関する指示に応じて、前記第１送信ポイントに対応するＣＳＩ報告と、第２送信ポイントに対応するＣＳＩ報告と、を行うことを特徴とする請求項１に記載のユーザ端末。
【請求項５】
前記受信部は、第１送信ポイントに対応するＣＳＩ報告の第１設定と、第２送信ポイントに対応するＣＳＩ報告の第２設定と、の関連付けを受信し、
前記制御部は、前記関連付けに基づいて、前記第１設定及び前記第２設定の少なくとも１つを決定することを特徴とする請求項１又は請求項４に記載のユーザ端末。
【請求項６】
複数の送信ポイントにそれぞれ対応する複数のチャネル状態情報（ＣＳＩ）報告に関する設定情報を受信し、前記複数のＣＳＩ報告に関する少なくとも１つの指示を受信する工程と、
前記少なくとも１つの指示に基づいて、前記複数のＣＳＩ報告を行う工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、ＬＴＥ  Ｒｅｌ．８−１４）では、ユーザ端末（User  Equipment（ＵＥ））は、下り制御チャネル（例えば、Physical  Downlink  Control  Channel（ＰＤＣＣＨ））を介して伝送される下り制御情報（Downlink  Control  Information（ＤＣＩ）、ＤＬアサインメント等ともいう）に基づいて、下り共有チャネル（例えば、Physical  Downlink  Shared  Channel（ＰＤＳＣＨ））の受信を制御する。また、ユーザ端末は、ＤＣＩ（ＵＬグラント等ともいう）に基づいて、上り共有チャネル（例えば、Physical  Uplink  Shared  Channel（ＰＵＳＣＨ））の送信を制御する。【０００５】
既存のＬＴＥシステム（例えば、ＬＴＥ  Ｒｅｌ．８−１３）においては、ユーザ端末（User  Equipment（ＵＥ））が基地局に対して、周期的及び／又は非周期的にチャネル状態情報（Channel  State  Information（ＣＳＩ））を送信する。ＵＥは、上り制御チャネル（Physical  Uplink  Control  Channel（ＰＵＣＣＨ））及び／又は上り共有チャネル（Physical  Uplink  Shared  Channel（ＰＵＳＣＨ））を用いて、ＣＳＩを送信する。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＮＲ）において、複数の送信ポイント（送受信ポイント、パネルなど）を用いる送信が検討されている。【０００８】
しかしながら、複数の送信ポイントの間でチャネル状態情報（ＣＳＩ）が異なる。複数の送信ポイントに対するＣＳＩ報告が適切に行われなければ、通信品質が劣化するおそれがある。【０００９】
そこで、本開示は、複数の送信ポイントに対するＣＳＩ報告を適切に行うユーザ端末及び無線通信方法を提供することを目的の１つとする。
【課題を解決するための手段】
【００１０】
本開示の一態様に係るユーザ端末は、複数の送信ポイントにそれぞれ対応する複数のチャネル状態情報（ＣＳＩ）報告に関する設定情報を受信し、前記複数のＣＳＩ報告に関する少なくとも１つの指示を受信する受信部と、前記少なくとも１つの指示に基づいて、前記複数のＣＳＩ報告を行う制御部と、を有することを特徴とする。
【発明の効果】
【００１１】
本開示の一態様によれば、複数の送信ポイントに対するＣＳＩ報告を適切に行うことができる。
【図面の簡単な説明】
【００１２】
【図１】図１Ａ−図１Ｃは、複数ＴＲＰ送信の一例を示す図である。
【図２】図２は、リソースセッティング及び報告セッティングのマッピングの一例を示す図である。
【図３】図３は、ＣＳＩ−ＲＳ設定に対するＣＳＩ報告のトリガリング又はアクティベーションの方法の一例を示す図である。
【図４】図４は、複数のＴＲＰに対応するリソースセッティング及び報告セッティングの一例を示す図である。
【図５】図５Ａ−図５Ｄは、複数ＴＲＰ送信の動作の一例を示す図である。
【図６】図６は、複数のＴＲＰの間の報告セッティングのマッピングの一例を示す図である。
【図７】図７は、複数のＴＲＰの間の報告セッティングのマッピングを示す上位レイヤパラメータの一例を示す図である。
【図８】図８は、一実施形態に係る無線通信システムの概略構成の一例を示す図である。
【図９】図９は、一実施形態に係る基地局の構成の一例を示す図である。
【図１０】図１０は、一実施形態に係るユーザ端末の構成の一例を示す図である。
【図１１】図１１は、一実施形態に係る基地局及びユーザ端末のハードウェア構成の一例を示す図である。
【発明を実施するための形態】
【００１３】
（複数ＴＲＰ送信）
将来の無線通信システム（例えば、Ｒｅｌ．１６以降）では、複数の送信ポイントからそれぞれノンコヒーレントなＤＬ（例えば、ＰＤＳＣＨ）送信が行われることが検討されている。複数の送信ポイントからノンコヒーレントとなるＤＬ信号（又は、ＤＬチャネル）を協調して行う送信は、ＮＣＪＴ（Non-Coherent  Joint  Transmission）と呼んでもよい。
【００１４】
また、本開示において、送信ポイントは、送受信ポイント（Transmission/Reception  Point：ＴＲＰ）、パネル（panel、アンテナパネル、複数のアンテナ素子）、アンテナ、アンテナポート、又はセルと読み替えられてもよい。送信ポイント（ＴＲＰ、パネルなど）は、例えば、ビーム、spatial  filter、Reference  Signal（ＲＳ）リソース、擬似コロケーション（Quasi  Co-Location（ＱＣＬ））、送信設定指示（Transmission  Configuration  Indication（ＴＣＩ））、又はそれらをグルーピングした概念で置き換えることができる。
【００１５】
複数の送信ポイントからそれぞれ送信されるノンコヒーレントのＰＤＳＣＨのスケジューリングを１以上のDownlink  Control  Information（ＤＣＩ）を用いて制御することも想定される。一例として、複数の送信ポイントから送信されるＰＤＳＣＨをスケジューリングするために、複数の下り制御チャネル（例えば、ＰＤＣＣＨ）及びＤＣＩの少なくとも一つが利用される。
【００１６】
この場合、異なる送信ポイントからそれぞれ送信されるＰＤＳＣＨを同じリソース（例えば、時間及び周波数リソース）に割当てて送信することも考えられる。例えば、同じコードワード（ＣＷ）に対応するＰＤＳＣＨを異なるレイヤで送信する構成（図１Ａ参照）、異なるＣＷに対応するＰＤＳＣＨを送信する構成（図１Ｂ参照）がサポートされる。
【００１７】
図１Ａでは、第１の送信ポイントから送信されるＰＤＳＣＨ（ＣＷ＃１に対応）がレイヤ１及び２の少なくとも一つを利用し、第２の送信ポイントから送信されるＰＤＳＣＨ（ＣＷ＃１に対応）がレイヤ３及び４の少なくとも一つを利用して同じ時間及び周波数リソースに割当てられる場合を示している。
【００１８】
図１Ｂでは、第１の送信ポイントから送信されるＰＤＳＣＨ（ＣＷ＃１に対応）と、第２の送信ポイントから送信されるＰＤＳＣＨ（ＣＷ＃２に対応）が同じ時間及び周波数リソースに割当てられる場合を示している。
【００１９】
また、図１Ｃに示すように、複数ＴＲＰ送信において、複数のＰＤＳＣＨが、異なるMultiple  Input  Multiple  Output（ＭＩＭＯ）レイヤにおいて送信されてもよい。また、複数のＰＤＳＣＨの時間リソース及び周波数リソースが重複してもよい。
【００２０】
ＵＥは、複数のＴＲＰを用いる通信（例えば、複数ＴＲＰ送信）を上位レイヤシグナリング（設定情報）によって設定されてもよい。ＵＥは、複数のＴＲＰを用いる通信のために、複数のＴＲＰにそれぞれ対応する複数のリソースの割り当てを示す情報（上位レイヤシグナリング及びＤＣＩの少なくとも１つ）を通知されてもよい。
【００２１】
複数のＴＲＰは、同期（synchronous）ネットワークに属していてもよいし、非同期（asynchronous）ネットワークに属していてもよい。また、複数のＴＲＰは、理想バックホール（ideal  backhaul）を介して接続されてもよいし、非理想バックホール（non-ideal  backhaul）を介して接続されてもよい。
【００２２】
（ＢＷＰ）
将来の無線通信システム（例えば、ＮＲ、５Ｇ又は５Ｇ＋）では、既存のＬＴＥシステム（例えば、ＬＴＥ  Ｒｅｌ．８−１３）より広い帯域幅（例えば、１００〜８００ＭＨｚ）のキャリア（コンポーネントキャリア（Component  Carrier：ＣＣ）、セル又はシステム帯域等ともいう）を割り当てることが検討されている。
【００２３】
一方、当該将来の無線通信システムでは、当該キャリア全体で送信及び／又は受信（送受信）する能力（capability）を有するユーザ端末（Wideband(WB)  UE、single  carrier  WB  UE等ともいう）と、当該キャリア全体で送受信する能力を有しないユーザ端末（Bandwidth（BW）  reduced  UE等ともいう）とが混在することが想定される。
【００２４】
このように、将来の無線通信システムでは、サポートする帯域幅において複数のユーザ端末が混在すること（various  BW  UE  capabilities）が想定されるため、キャリア内に一以上の部分的な周波数帯域を準静的に設定（configure）することが検討されている。当該キャリア内の各周波数帯域（例えば、５０ＭＨｚ又は２００ＭＨｚなど）は、部分帯域又は帯域幅部分（Bandwidth  part：ＢＷＰ）等と呼ばれる。
【００２５】
ＢＷＰのアクティブ化（activation）又は非アクティブ化（deactivation）が制御されてもよい。ここで、ＢＷＰのアクティブ化とは、当該ＢＷＰを利用可能な状態である（又は当該利用可能な状態に遷移する）ことであり、ＢＷＰの設定情報（configuration）（ＢＷＰ設定情報）のアクティブ化又は有効化等とも呼ばれる。また、ＢＷＰの非アクティブ化とは、当該ＢＷＰを利用不可能な状態である（又は当該利用不可能な状態に遷移する）ことであり、ＢＷＰ設定情報の非アクティブ化又は無効化等とも呼ばれる。ＢＷＰがスケジューリングされることで、このＢＷＰがアクティブ化されることになる。また、当該複数のＢＷＰの少なくとも一つのアクティブ化又は非アクティブ化が制御されてもよい。
【００２６】
（リソースセッティング及び報告セッティング）
Ｒｅｌ．１５においては、ＵＥが、ＣＳＩのために、少なくとも１つのリソースセッティング（ＣＳＩ−ＲＳリソース設定（configuration））と、少なくとも１つの報告セッティング（ＣＳＩ報告設定（configuration））と、を設定されることが規定されている。
【００２７】
例えば、図２に示すように、ＵＥは、リソースセッティング＃０，＃１，＃２を上位レイヤパラメータ（例えば、CSI-ResourceConfig）によって設定されてもよい。各リソースセッティングは、複数のＣＳＩ−ＲＳリソースセット（例えば、ＣＳＩ−ＲＳリソースセット＃０、＃１，＃２）を含んでもよい。各ＣＳＩ−ＲＳリソースセットは、複数のＣＳＩ−ＲＳリソースを含んでもよい。
【００２８】
ＵＥは、複数の報告セッティング＃０，＃１を上位レイヤパラメータ（例えば、CSI-ReportConfig）によって設定されてもよい。報告セッティング＃０は、リソースセッティング＃０，＃１に関連付けられていてもよく、報告セッティング＃１は、リソースセッティング＃０，＃２に関連付けられていてもよい。
【００２９】
Ｒｅｌ．１５においては、ＣＳＩ−ＲＳ（ＣＳＩ−ＲＳリソース）設定として、周期的ＣＳＩ−ＲＳ（Ｐ−ＣＳＩ−ＲＳ）、セミパーシステント（semi-persistent：準持続的）ＣＳＩ−ＲＳ（ＳＰ−ＣＳＩ−ＲＳ）、非周期的ＣＳＩ−ＲＳ（Ａ−ＣＳＩ−ＲＳ）、がサポートされる。
【００３０】
また、Ｒｅｌ．１５においては、ＣＳＩ報告として、周期的ＣＳＩ（Ｐ−ＣＳＩ）報告、セミパーシステントＣＳＩ（ＳＰ−ＣＳＩ）報告、非周期的ＣＳＩ（Ａ−ＣＳＩ）報告、がサポートされる。ＳＰ−ＣＳＩ報告として、ＰＵＣＣＨ上ＳＰ−ＣＳＩ報告（SP-CSI  Reporting  on  PUCCH）、ＰＵＳＣＨ上ＳＰ−ＣＳＩ報告（SP-CSI  Reporting  on  PUSCH）、がサポートされる。
【００３１】
図３は、Ｒｅｌ．１５におけるＣＳＩ−ＲＳ設定に対するＣＳＩ報告のトリガリング又はアクティベーションの方法の一例を示す図である。
【００３２】
ＳＲＳ（Sounding  Reference  Signal）送信が、Ｐ−ＳＲＳ、ＳＰ−ＳＲＳ、Ａ−ＳＲＳに分類されるのと同様、ＣＳＩ報告は、Ｐ−ＣＳＩ報告、ＳＰ−ＣＳＩ報告、Ａ−ＣＳＩ報告に分類されてもよい。
【００３３】
ＣＳＩ−ＲＳ設定としてＰ−ＣＳＩ−ＲＳが設定された場合、Ｐ−ＣＳＩ報告、ＰＵＣＣＨ上のＳＰ−ＣＳＩ報告、ＰＵＳＣＨ上のＳＰ−ＣＳＩ報告、Ａ−ＣＳＩ報告がサポートされる。Ｐ−ＣＳＩ報告は、ＲＲＣパラメータによって設定され、ＵＥは動的なトリガ（triggering）又はアクティベーション（activation）を受信しない。
【００３４】
ＳＰ−ＣＳＩ報告に対し、ＵＥは、ＰＵＣＣＨ上の報告のためのアクティベーションコマンドをＭＡＣ  ＣＥによって受信する、又はＰＵＳＣＨ上の報告のためのＤＣＩ上のトリガを受信する。当該ＤＣＩは、ＳＰ−ＣＳＩ報告用の無線ネットワーク一時識別子（Radio  Network  Temporary  Identifier：ＲＮＴＩ）（例えば、ＳＰ−ＣＳＩ−ＲＮＴＩ、ＳＰ−ＣＳＩ  Ｃ−ＲＮＴＩ（ＳＰ−ＣＳＩ  Cell−ＲＮＴＩ））によって巡回冗長検査（Cyclic  Redundancy  Check：ＣＲＣ）ビットがマスキング（スクランブル）されたＤＣＩであってもよい。ＵＥは、所定のディアクティベーション（リリース）信号を受信した場合、又はアクティベーションコマンド（トリガ）によって開始される所定のタイマが満了した場合、ＳＰ−ＣＳＩ−ＲＳの測定及びＳＰ−ＣＳＩ報告を停止してもよい。
【００３５】
Ａ−ＣＳＩ報告は、ＤＣＩによってトリガされる。Ａ−ＣＳＩ報告は、アクティベーションコマンドを用いてもよい。
【００３６】
ＣＳＩ−ＲＳ設定としてＳＰ−ＣＳＩ−ＲＳが設定された場合、ＰＵＣＣＨ上のＳＰ−ＣＳＩ報告、ＰＵＳＣＨ上のＳＰ−ＣＳＩ報告、Ａ−ＣＳＩ報告がサポートされる。
【００３７】
ＣＳＩ−ＲＳ設定としてＡ−ＣＳＩ−ＲＳが設定された場合、Ａ−ＣＳＩ報告がサポートされる。
【００３８】
複数のＴＲＰを用いる通信においては、異なるＴＲＰに対して異なるＣＳＩが必要となる。しかしながら、Ｒｅｌ．１５においては、１つのＴＲＰに対するＣＳＩが規定されているため、複数のＴＲＰを用いる通信において、複数のＴＲＰに対するＣＳＩの報告及び設定をどのように行うかが明らかでない。
【００３９】
そこで、本発明者らは、複数の送信ポイントにそれぞれ対応する複数のＣＳＩ報告の設定（例えば、リソースセッティング、報告セッティング）又は指示（例えば、アクティベーション、ディアクティベーション、又はトリガ）の動作を着想した。
【００４０】
以下、本開示に係る実施形態について、図面を参照して詳細に説明する。以下の各実施形態は、それぞれ単独で適用されてもよいし、組み合わせて適用されてもよい。
【００４１】
本開示において、上位レイヤシグナリングは、例えば、Radio  Resource  Control（ＲＲＣ）シグナリング、Medium  Access  Control（ＭＡＣ）シグナリング、ブロードキャスト情報などのいずれか、又はこれらの組み合わせであってもよい。
【００４２】
ＭＡＣシグナリングは、例えば、ＭＡＣ制御要素（ＭＡＣ  Control  Element（ＣＥ））、ＭＡＣ  Protocol  Data  Unit（ＰＤＵ）などを用いてもよい。ブロードキャスト情報は、例えば、マスタ情報ブロック（Master  Information  Block：ＭＩＢ）、システム情報ブロック（System  Information  Block：ＳＩＢ）、最低限のシステム情報（Remaining  Minimum  System  Information：ＲＭＳＩ）、その他のシステム情報（Other  System  Information：ＯＳＩ）などであってもよい。
【００４３】
本開示において、ＴＲＰ、送信ポイント、ＤＭＲＳポートグループ、ＭＩＭＯレイヤ、パネル、セル、キャリア、コンポーネントキャリア（ＣＣ）、ＰＤＳＣＨ、コードワード、基地局、ビーム、などは、互いに読み替えられてもよい。
【００４４】
新規ＤＣＩフィールド、新規ＲＮＴＩ、などの新規の情報は、特定のリリース（例えば、Ｒｅｌ．１６以降）に規定され、且つ特定のリリースよりも過去のリリース（例えば、Ｒｅｌ．１５）に規定されていない情報と読み替えられてもよい。
【００４５】
（無線通信方法）
＜実施形態１＞
ＵＥは、複数のＴＲＰにそれぞれ対応する複数のＣＳＩ報告（報告セッティング）を設定されてもよい。
【００４６】
図４に示すように、ＵＥは、ＴＲＰ＃０のためのリソースセッティング及び報告セッティングを設定され、ＴＲＰ＃１のためのリソースセッティング及び報告セッティングを設定されてもよい。
【００４７】
ＵＥは、ＴＲＰ＃０に対してリソースセッティング＃０，＃１，＃２を設定され、ＴＲＰ＃０に対して報告セッティング＃０，＃１を設定されてもよい。ＴＲＰ＃０用の報告セッティング＃０が、ＴＲＰ＃０用のリソースセッティング＃０，＃１に関連付けられ、ＴＲＰ＃０用の報告セッティング＃１が、ＴＲＰ＃０用のリソースセッティング＃０，＃２に関連付けられてもよい。
【００４８】
同様に、ＵＥは、ＴＲＰ＃１に対してリソースセッティング＃０，＃１，＃２を設定され、ＴＲＰ＃１に対して報告セッティング＃０，＃１を設定されてもよい。ＴＲＰ＃１用の報告セッティング＃０が、ＴＲＰ＃１用のリソースセッティング＃０，＃１に関連付けられ、ＴＲＰ＃１用の報告セッティング＃１が、ＴＲＰ＃１用のリソースセッティング＃０，＃２に関連付けられてもよい。
【００４９】
ＵＥは、次の実施形態１−１、１−２の少なくとも１つに従って、複数のＴＲＰの少なくとも１つからＰＤＣＣＨを受信してもよい。
【００５０】
《実施形態１−１》
ＵＥは、複数のＴＲＰから複数のＰＤＣＣＨをそれぞれ受信してもよい。各ＴＲＰからのＰＤＣＣＨは、対応するデータ（対応するＴＲＰへ送信される１つのＰＵＳＣＨ、又は対応するＴＲＰから送信される１つのＰＤＳＣＨ）をスケジュールしてもよい。
【００５１】
例えば、図５Ｄに示すように、ＴＲＰ＃０が、ＰＤＳＣＨをスケジュールするＤＣＩ＃１を送信し、ＴＲＰ＃１が、ＰＤＳＣＨをスケジュールするＤＣＩ＃２を送信するケース（モード、タイプなど）であってもよい。ＤＣＩ＃２は、ＤＣＩ＃１と同じスロット内に送信されてもよい。
【００５２】
ＵＥは、複数のＴＲＰから複数のＰＤＣＣＨをそれぞれ受信することを、上位レイヤパラメータによって設定されてもよい。
【００５３】
ＵＥは、ＤＣＩ又はＭＡＣ  ＣＥによって、対応するＣＳＩ報告をトリガ、アクティベート、又はディアクティベートされてもよい。ＣＳＩ報告のために幾つのＰＵＣＣＨ又はＰＵＳＣＨが用いられるかに依らず、ＵＥは、ＤＣＩ又はＭＡＣ  ＣＥによって、対応するＣＳＩ報告をトリガ、アクティベート、又はディアクティベートされてもよい（対応するＣＳＩ報告がトリガ、アクティベート、又はディアクティベートされたと見なしてもよい）。
【００５４】
以上の実施形態１−２によれば、複数のＴＲＰに対応する複数のＣＳＩ報告に対して、アクティベーション、ディアクティベーション、トリガの少なくとも１つを適切に行うことができる。また、複数のＴＲＰのそれぞれに対応する指示を送ることによって、アクティベーション、ディアクティベーション、トリガの少なくとも１つを柔軟に行うことができる。
【００５５】
《実施形態１−２》
ＵＥは、複数のＴＲＰの１つからＰＤＣＣＨを受信してもよい。当該ＰＤＣＣＨは、複数のＴＲＰのそれぞれに対応する複数のデータ（複数のＴＲＰへそれぞれ送信される複数のＰＵＳＣＨ、又は複数のＴＲＰからそれぞれ送信される複数のＰＤＳＣＨ）をスケジュールしてもよい。
【００５６】
例えば、図５Ａに示すように、ＴＲＰ＃０がＤＣＩを送信し、当該ＤＣＩがＴＲＰ＃０に対応するデータをスケジュールするケースであってもよい。また、図５Ｂに示すように、ＴＲＰ＃０がＤＣＩを送信し、当該ＤＣＩがＴＲＰ＃０、＃１にそれぞれ対応する２つのデータをスケジュールするケースであってもよい。また、図５Ｃに示すように、ＴＲＰ＃０がＤＣＩパート１を送信し、ＴＲＰ＃１がＤＣＩパート２を送信し、ＤＣＩパート１及びＤＣＩパート２が、ＴＲＰ＃０、＃１に対応する２つのデータをスケジュールするケースであってもよい。ＤＣＩパート２がＤＣＩパート１に依存してもよい。ＤＣＩパート１は、ＤＣＩパート２を復号するための補助情報を含んでもよい。ＤＣＩパート２は、ＤＣＩパート１と同じスロット内に送信されてもよい。
【００５７】
ＵＥは、次の実施形態１−２−１〜１−２−３の少なくとも１つに従って、ＣＳＩ報告をトリガ、アクティベート、又はディアクティベートされてもよい（ＣＳＩ報告がトリガ、アクティベート、又はディアクティベートされたと見なしてもよい）。
【００５８】
＜＜実施形態１−２−１＞＞
ＵＥは、ＰＵＣＣＨ上のＳＰ−ＣＳＩ報告をアクティベート又はディアクティベートされてもよい。
【００５９】
ＵＥは、次の選択肢１ａ、１ｂの少なくとも１つに従って、ＰＵＣＣＨ上のＳＰ−ＣＳＩ報告をアクティベートされてもよい。
【００６０】
《《選択肢１ａ》》
ＵＥは、複数のＴＲＰにそれぞれ対応する複数のＣＳＩ報告を独立にアクティベートされてもよい。ＵＥは、ＣＳＩ報告のインデックスを、対応するＭＡＣ  ＣＥによってアクティベートされてもよい。ＭＡＣ  ＣＥは、対応するＴＲＰから（対応するＤＭＲＳポートグループを用いて）送信されてもよい。
【００６１】
ＵＥは、Ｘ個のＭＡＣ  ＣＥによってＸ個のＣＳＩ報告をそれぞれアクティベートされる場合、Ｘ個のＣＳＩをフィードバックしてもよい。
【００６２】
ＵＥが、１つのＭＡＣ  ＣＥに対し、多くともＹ個のＣＳＩ報告を許可される場合、例えば、ＵＥは、２つのＴＲＰ（２つのＤＭＲＳポートグループ）に対し、多くとも２Ｙ個のＣＳＩ報告を許可されてもよい。
【００６３】
《《選択肢１ｂ》》
ＵＥは、複数のＴＲＰにそれぞれ対応する複数のＣＳＩ報告をまとめてアクティベートされてもよい。ＵＥは、１つのＴＲＰからの１つのＭＡＣ  ＣＥによって、ＣＳＩ報告をアクティベートされてもよい。
【００６４】
ＵＥは、複数のＴＲＰの一部にＣＳＩ−ＲＳリソース（例えば、ＳＰ−ＣＳＩ−ＲＳリソース）を設定された場合（少なくとも１つのＴＲＰに対してＣＳＩ−ＲＳリソースを設定されていない場合）、ＣＳＩ−ＲＳリソースを設定されたＴＲＰのみに対応するＳＰ−ＣＳＩ報告をアクティベートされてもよい。
【００６５】
ＵＥは、異なるＴＲＰに対する報告セッティングの間のマッピングに基づいて、少なくとも１つのＴＲＰに対するＣＳＩ−ＲＳリソース及びＣＳＩ報告の少なくとも１つを決定しもよい（後述の実施形態２）。例えば、ＵＥは、１つのＴＲＰからの１つのＭＡＣ  ＣＥによって、１つのＣＳＩ報告をアクティベートされた場合、当該ＣＳＩ報告にマップされたＣＳＩ報告をアクティベートしてもよい。
【００６６】
ＵＥは、ＰＵＣＣＨ上のＳＰ−ＣＳＩ報告をディアクティベートされてもよい。ＵＥは、次の選択肢２ａ〜２ｃの少なくとも１つに従って、ＰＵＣＣＨ上のＳＰ−ＣＳＩ報告をディアクティベートされてもよい。
【００６７】
《《選択肢２ａ》》
ＵＥは、複数のＴＲＰにそれぞれ対応する複数のＣＳＩ報告を独立にディアクティベートされてもよい。ＵＥは、１つのＴＲＰに対するＳＰ−ＣＳＩ報告をアクティベートされた状態において、当該ＴＲＰに対応するＰＤＳＣＨ（ＭＡＣ  ＣＥ）のためのＤＬ  ＢＷＰ又はＵＬ  ＢＷＰが変更された場合、当該ＳＰ−ＣＳＩ報告をディアクティベートされてもよい。
【００６８】
《《選択肢２ｂ》》
ＵＥは、複数のＴＲＰにそれぞれ対応する複数のＣＳＩ報告をまとめてディアクティベートされてもよい。ＵＥは、ＳＰ−ＣＳＩ報告をアクティベートされた状態において、ＢＷＰの少なくとも１つが変更された場合、全てのＳＰ−ＣＳＩ報告をディアクティベートされてもよい。
【００６９】
《《選択肢２ｃ》》
ＵＥは、複数のＴＲＰにそれぞれ対応する複数のＣＳＩ報告をまとめてディアクティベートされてもよい。ＵＥは、１つのＴＲＰからの１つのＭＡＣ  ＣＥによって、全てのＣＳＩ報告をディアクティベートされてもよい。ＵＥは、２つのＴＲＰに対するＳＰ−ＣＳＩ報告をアクティベートされた状態において、一方のＴＲＰに対するＳＰ−ＣＳＩ報告をディアクティベートされた場合、他方のＴＲＰに対するＳＰ−ＣＳＩ報告もディアクティベートされてもよい。
【００７０】
＜＜実施形態１−２−２＞＞
ＵＥは、ＰＵＳＣＨ上のＳＰ−ＣＳＩ報告をアクティベートされてもよい。ＵＥは、次の選択肢１ａ、１ｂの少なくとも１つに従って、ＰＵＳＣＨ上のＳＰ−ＣＳＩ報告をアクティベートされてもよい。
【００７１】
《《選択肢１ａ》》
ＵＥは、複数のＴＲＰにそれぞれ対応する複数のＣＳＩ報告を独立にアクティベートされてもよい。ＵＥは、ＤＣＩの複数の値（例えば、新規ＤＣＩフィールド）によって１以上のＣＳＩ報告をアクティベートされてもよい。当該ＤＣＩのＣＳＩリクエストフィールド又はＣＲＣが特定ＲＮＴＩ（例えば、ＳＰ−ＣＳＩ−ＲＮＴＩ、新規ＲＮＴＩ）によってスクランブルされてもよい。
【００７２】
Ｒｅｌ．１５において、ＤＣＩ内のＣＳＩリクエストフィールドのサイズ（長さ）は、上位レイヤパラメータreportTriggerSizeによって、０，１，２，３，４，５，６ビットのいずれかに定義される。２つのＴＲＰに対応するＣＳＩ報告を独立にアクティベートするために、ＣＳＩリクエストフィールドのサイズ（長さ）は、上位レイヤパラメータ（例えば、reportTriggerSize）によって、０，２，４，６，８，１０，１２ビットのいずれかに定義されてもよい。
【００７３】
《《選択肢１ｂ》》
ＵＥは、複数のＴＲＰにそれぞれ対応する複数のＣＳＩ報告をまとめてアクティベートされてもよい。ＵＥは、複数のＴＲＰにそれぞれ対応する複数のＣＳＩ報告を、同じＤＣＩ（例えば、既存のＤＣＩフィールド、ＣＳＩリクエストフィールド）によってアクティベートされてもよい。当該ＤＣＩのＣＳＩリクエストフィールド又はＣＲＣが特定ＲＮＴＩ（例えば、ＳＰ−ＣＳＩ−ＲＮＴＩ、新規ＲＮＴＩ）によってスクランブルされてもよい。
【００７４】
ＵＥは、ＰＵＳＣＨ上のＳＰ−ＣＳＩ報告をディアクティベートされてもよい。ＵＥは、次の選択肢２ａ〜２ｃの少なくとも１つに従って、ＰＵＣＣＨ上のＳＰ−ＣＳＩ報告をディアクティベートされてもよい。
【００７５】
《《選択肢２ａ》》
ＵＥは、複数のＴＲＰにそれぞれ対応する複数のＣＳＩ報告を独立にディアクティベートされてもよい。ＵＥは、１つのＴＲＰに対するＳＰ−ＣＳＩ報告をアクティベートされた状態において、当該ＴＲＰに対応するＰＤＣＣＨのためのＤＬ  ＢＷＰ又はＵＬ  ＢＷＰが変更された場合、当該ＳＰ−ＣＳＩ報告をディアクティベートされてもよい。
【００７６】
《《選択肢２ｂ》》
ＵＥは、複数のＴＲＰにそれぞれ対応する複数のＣＳＩ報告をまとめてディアクティベートされてもよい。ＵＥは、ＳＰ−ＣＳＩ報告をアクティベートされた状態において、ＢＷＰの少なくとも１つが変更された場合、全てのＳＰ−ＣＳＩ報告をディアクティベートされてもよい。
【００７７】
《《選択肢２ｃ》》
ＵＥは、複数のＴＲＰにそれぞれ対応する複数のＣＳＩ報告をまとめてディアクティベートされてもよい。ＵＥは、１つのＴＲＰからの１つのＰＤＣＣＨによって、全てのＣＳＩ報告をディアクティベートされてもよい。ＵＥは、２つのＴＲＰに対するＳＰ−ＣＳＩ報告をアクティベートされた状態において、一方のＴＲＰに対するＳＰ−ＣＳＩ報告をディアクティベートされた場合、他方のＴＲＰに対するＳＰ−ＣＳＩ報告もディアクティベートされてもよい。
【００７８】
＜＜実施形態１−２−３＞＞
ＵＥは、Ａ−ＣＳＩ報告をトリガされてもよい。ＵＥは、次の選択肢１、２の少なくとも１つに従って、Ａ−ＣＳＩ報告をトリガされてもよい。
【００７９】
《《選択肢１》》
ＵＥは、複数のＴＲＰにそれぞれ対応する複数のＣＳＩ報告を独立にトリガされてもよい。ＵＥは、ＤＣＩの複数の値（例えば、新規ＤＣＩフィールド）によって１以上のＣＳＩ報告をトリガされてもよい。当該ＤＣＩのＣＳＩリクエストフィールド又はＣＲＣが特定ＲＮＴＩ（例えば、ＳＰ−ＣＳＩ−ＲＮＴＩ、新規ＲＮＴＩ）によってスクランブルされてもよい。
【００８０】
Ｒｅｌ．１５において、ＣＳＩリクエストのサイズ（長さ）は、上位レイヤパラメータreportTriggerSizeによって、０，１，２，３，４，５，６ビットのいずれかに定義される。２つのＴＲＰに対応するＣＳＩ報告を独立にアクティベートするために、ＣＳＩリクエストのサイズ（長さ）は、上位レイヤパラメータ（例えば、reportTriggerSize）によって、０，２，４，６，８，１０，１２ビットのいずれかに定義されてもよい。
【００８１】
《《選択肢２》》
ＵＥは、複数のＴＲＰにそれぞれ対応する複数のＣＳＩ報告をまとめてトリガされてもよい。ＵＥは、複数のＴＲＰに対する複数のＣＳＩ報告を同じＤＣＩ（例えば、既存のＤＣＩフィールド、ＣＳＩリクエストフィールド）によってトリガされてもよい。当該ＤＣＩのＣＳＩリクエストフィールド又はＣＲＣが特定ＲＮＴＩ（例えば、ＳＰ−ＣＳＩ−ＲＮＴＩ、新規ＲＮＴＩ）によってスクランブルされてもよい。
【００８２】
以上の実施形態１−２によれば、複数のＴＲＰに対応する複数のＣＳＩ報告に対して、アクティベーション、ディアクティベーション、トリガの少なくとも１つを適切に行うことができる。また、１つのＰＤＣＣＨ又はＭＡＣ  ＣＥを用いて、アクティベーション、ディアクティベーション、トリガの少なくとも１つを行うため、シグナリングのオーバヘッドを抑えることができる。
【００８３】
＜実施形態２＞
ＵＥは、異なるＴＲＰに対する複数の報告セッティングの間のマッピングを用いて、少なくとも１つの報告セッティングを決定してもよい。
【００８４】
Ｒｅｌ．１５においてＵＥは、図２に示すように、ＣＳＩ−ＲＳリソースセッティングと報告セッティングの間のマッピングを設定される。
【００８５】
更に、ＵＥは、図６に示すように、異なる報告セッティングの間のマッピングを用いてもよい。
【００８６】
例えば、ＴＲＰ＃０用の報告セッティング＃０に、ＴＲＰ＃１用の報告セッティング＃１が関連付けられている場合、ＵＥは、ＴＲＰ＃０用の報告セッティング＃０をアクティベート、ディアクティベート、又はトリガされることに応じて、その報告セッティングに関連付けられたＴＲＰ＃１用の報告セッティング＃１をアクティベート、ディアクティベート、又はトリガされてもよい。
【００８７】
ＵＥは、次の実施形態２−１、２−２の少なくとも１つに従ってマッピングを設定されてもよい。
【００８８】
以上の実施形態２−１によれば、ＵＥは、マッピングを用いて、少なくとも１つのＴＲＰに対する報告セッティングを決定することができる。また、マッピングに関する情報をＵＥに通知する必要がないため、シグナリングのオーバヘッドを抑えることができる。
【００８９】
《実施形態２−１》
ＵＥは、異なるＴＲＰに対する報告セッティングの間の暗示的マッピングを用いてもよい。
【００９０】
ＵＥは、次の選択肢１、２の少なくとも１つによって報告セッティングをアクティベートされてもよい。ＵＥは、同様にして、報告セッティングをディアクティベート又はトリガされてもよい。
【００９１】
《《選択肢１》》
異なるＴＲＰの間において、同じ報告セッティングＩＤ同士が関連付けられてもよい。
【００９２】
ＵＥは、ＴＲＰ＃ｉの報告セッティング＃Ｘをアクティベートされる場合、ＴＲＰ＃ｊの報告セッティング＃Ｘ（同じ報告セッティングＩＤ）もアクティベートされてもよい。
【００９３】
《《選択肢２》》
異なるＴＲＰの間の報告セッティングＩＤが、特定の式によって関連付けられてもよい。
【００９４】
ＵＥは、ＴＲＰ＃ｉの報告セッティング＃Ｘ（Ｘ＝０，１，…，Ｎ−１）をアクティベートされる場合、ＴＲＰ＃ｊの報告セッティング＃（Ｎ−Ｘ−１）もアクティベートされてもよい。ここで、Ｎは報告セッティングの総数であってもよい。
【００９５】
《実施形態２−２》
ＵＥは、ＵＥは、異なるＴＲＰに対する報告セッティングの間の明示的マッピングを用いてもよい。
【００９６】
ＵＥは、上位レイヤパラメータによって、複数の報告セッティングの間のマッピングを設定されてもよい。ＵＥは、複数のＴＲＰの１つの報告セッティングのアクティベーション、ディアクティベーション、トリガの少なくとも１つの指示を受信した場合、マッピングに基づいて、当該報告セッティングに関連付けられた、他のＴＲＰの報告セッティングに対して、同じ指示を適用してもよい。
【００９７】
例えば、図７に示すように、複数のＴＲＰを用いるケースに対する報告セッティングの上位レイヤパラメータ（ＲＲＣ情報要素、例えば、CSI-MeasConfig）が、報告セッティングのマッピングを示す情報（例えば、Ｌ１（レイヤ１、ＤＣＩ）におけるＳＰ−ＣＳＩ報告用のトリガ状態のリスト、CSI-SemiPersistentOnPUSCH-TriggerStateList）を含んでもよい。このリストは、当該報告マッピングに関連付けられた、他のＴＲＰの報告セッティング（ＣＳＩ報告設定）のＩＤ（例えば、CSI-SemiPersistentOnPUSCH-TriggerState、CSI-ReportConfigId）を示してもよい。
【００９８】
ＴＲＰ＃０に対するリストに示される、関連付けられた報告セッティングＩＤは、ＴＲＰ＃１に対して設定される報告セッティングＩＤを示してもよい。ＴＲＰ＃１に対するリストに示される、関連付けられた報告セッティングＩＤは、ＴＲＰ＃０に対して設定される報告セッティングＩＤを示してもよい。
【００９９】
以上の実施形態２−２によれば、ＵＥは、マッピングを用いて、少なくとも１つのＴＲＰに対する報告セッティングを決定することができる。また、マッピングを柔軟に設定できる。
【０１００】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１０１】
図８は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１０２】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１０３】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１０４】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１０５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１０６】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１０７】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１０８】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１０９】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１１０】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１１１】
ユーザ端末２０は、ＬＴＥ、ＬＴＥ−Ａ、５Ｇなどの通信方式の少なくとも１つに対応した端末であってもよい。
【０１１２】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１１３】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１１４】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１１５】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１１６】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１１７】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１１８】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１１９】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１２０】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１２１】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１２２】
なお、本開示において下りリンク、上りリンクなどは「リンク」を付けずに表現されてもよい。また、各種チャネルの先頭に「物理（Physical）」を付けずに表現されてもよい。
【０１２３】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１２４】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１２５】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１２６】
（基地局）
図９は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１２７】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１２８】
制御部１１０は、基地局１０全体の制御を実施する。制御部１１０は、本開示に係る技術分野での共通認識に基づいて説明されるコントローラ、制御回路などから構成することができる。
【０１２９】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１３０】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１３１】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１３２】
送受信アンテナ１３０は、本開示に係る技術分野での共通認識に基づいて説明されるアンテナ、例えばアレイアンテナなどから構成することができる。
【０１３３】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１３４】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１３５】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１３６】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１３７】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１３８】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１３９】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１４０】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１４１】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１４２】
なお、本開示における基地局１０の送信部及び受信部は、送受信部１２０及び送受信アンテナ１３０の少なくとも１つによって構成されてもよい。
【０１４３】
また、送受信部１２０は、複数の送信ポイントにそれぞれ対応する複数のチャネル状態情報（ＣＳＩ）報告に関する設定情報を送信し、前記複数のＣＳＩ報告に関する少なくとも１つの指示を送信してもよい。送受信部１２０は、複数の送信ポイントのＣＳＩ報告の設定情報の間のマッピングに関する情報を送信してもよい。
【０１４４】
（ユーザ端末）
図１０は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１４５】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１４６】
制御部２１０は、ユーザ端末２０全体の制御を実施する。制御部２１０は、本開示に係る技術分野での共通認識に基づいて説明されるコントローラ、制御回路などから構成することができる。
【０１４７】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１４８】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１４９】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１５０】
送受信アンテナ２３０は、本開示に係る技術分野での共通認識に基づいて説明されるアンテナ、例えばアレイアンテナなどから構成することができる。
【０１５１】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１５２】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１５３】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１５４】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１５５】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１５６】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１５７】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１５８】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５９】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１６０】
なお、本開示におけるユーザ端末２０の送信部及び受信部は、送受信部２２０、送受信アンテナ２３０及び伝送路インターフェース２４０の少なくとも１つによって構成されてもよい。
【０１６１】
また、送受信部２２０は、複数の送信ポイント（例えば、ＴＲＰ）にそれぞれ対応する複数のチャネル状態情報（ＣＳＩ）報告（例えば、ＰＵＣＣＨ上のＳＰ−ＣＳＩ報告、ＰＵＳＣＨ上のＳＰ−ＣＳＩ報告、Ａ−ＣＳＩ報告など）に関する設定情報（例えば、リソースセッティング、報告セッティング）を受信し、前記複数のＣＳＩ報告に関する少なくとも１つの指示（例えば、アクティベーション、ディアクティベーション、トリガ、ＭＡＣ  ＣＥ、ＤＣＩなど）を受信してもよい。制御部２１０は、前記少なくとも１つの指示に基づいて、前記複数のＣＳＩ報告を行ってもよい。
【０１６２】
また、送受信部２２０は、前記複数の送信ポイントから、前記複数の指示（例えば、複数のＤＣＩ、複数のＭＡＣ  ＣＥ）をそれぞれ受信し、制御部２１０は、前記複数の指示のそれぞれに基づいて、対応するＣＳＩ報告を行ってもよい（実施形態１−１）。
【０１６３】
また、送受信部２２０は、前記複数の送信ポイントの１つから、前記複数のＣＳＩ報告に関する１つの指示（例えば、１つのＤＣＩ、１つのＭＡＣ  ＣＥ）を受信し、制御部２１０は、前記１つの指示に基づいて、前記複数のＣＳＩ報告を行ってもよい（実施形態１−２）。
【０１６４】
また、制御部２１０は、第１送信ポイント（例えば、ＴＲＰ＃０、ＴＲＰ＃ｉ）に対応するＣＳＩ報告の指示に応じて、前記第１送信ポイントに対応するＣＳＩ報告と、第２送信ポイント（例えば、ＴＲＰ＃１、ＴＲＰ＃ｊ）に対応するＣＳＩ報告と、を行ってもよい（実施形態２−１）。
【０１６５】
また、送受信部２２０は、第１送信ポイントに対応するＣＳＩ報告の第１設定（例えば、報告セッティング、ＣＳＩ報告設定）と、第２送信ポイントに対応するＣＳＩ報告の第２設定（例えば、報告セッティング、ＣＳＩ報告設定）と、の関連付け（マッピング）を受信し、制御部２１０は、前記関連付けに基づいて、前記第１設定及び前記第２設定の少なくとも１つを決定してもよい（実施形態２−２、実施形態１−３−１の選択肢１ｂ）。
【０１６６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１６７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１６８】
例えば、本開示の一実施形態における基地局、ユーザ端末などは、本開示の無線通信方法の処理を行うコンピュータとして機能してもよい。図１１は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６９】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１７０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１７１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１７２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０１７３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１７４】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１７５】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１７７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０１７８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１７９】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８０】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０１８１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１８２】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１８３】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０１８４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１８５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１８６】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１８９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９０】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１９１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９２】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１９３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１９４】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０１９５】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０１９６】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１９７】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０１９８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１９９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２００】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２０２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２０４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０５】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２０６】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２０７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２１１】
本開示において使用する「システム」及び「ネットワーク」という用語は、互換的に使用され得る。「ネットワーク」は、ネットワークに含まれる装置（例えば、基地局）のことを意味してもよい。
【０２１２】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２１３】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２１４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２１５】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２１６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１７】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２１８】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２１９】
同様に、本開示におけるユーザ端末は、基地局で読み替えてもよい。この場合、上述のユーザ端末２０が有する機能を基地局１０が有する構成としてもよい。
【０２２０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２２１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２２２】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２２３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２２５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２２６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２２７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２８】
また、「判断（決定）」は、「想定する（assuming）」、「期待する（expecting）」、「みなす（considering）」などで読み替えられてもよい。
【０２２９】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２３０】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２３１】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２３２】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２３３】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２３４】
本開示において、例えば、英語でのa,  an及びtheのように、翻訳によって冠詞が追加された場合、本開示は、これらの冠詞の後に続く名詞が複数形であることを含んでもよい。
【０２３５】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020148839.tif 000003
【図２】
2020148839.tif 000004
【図３】
2020148839.tif 000005
【図４】
2020148839.tif 000006
【図５】
2020148839.tif 000007
【図６】
2020148839.tif 000008
【図７】
2020148839.tif 000009
【図８】
2020148839.tif 000010
【図９】
2020148839.tif 000011
【図１０】
2020148839.tif 000012
【図１１】
2020148839.tif 000013
【国際調査報告】
2020148839.tif 000014
2020148839.tif 000015
2020148839.tif 000016